(57)【要約】【課題】  ユーザ端末上に表示される当選券画面の不正使用を防止し、更に、異業種と連携してキャンペーンを行うことを可能とする当選券システムを提供する。【解決手段】ネットワークを介して情報を送受信するセンタ装置と、複数のユーザ端末とを備える当選券システムにおける方法であり、センタ装置が複数の応募者の中から抽選を行い、当選者のユーザ端末に当選券画面に関する情報を含む当選通知を送信し、当選者が、あるサービスを受けるためにユーザ端末に表示された当選券画面を店に提示し、該サービスに関する所定の情報をユーザ端末からセンタ装置に送信し、センタ装置が該所定の情報を該ユーザ端末に対応させて記憶する。【選択図】  図１
2005222562.tif 000002
【特許請求の範囲】
【請求項１】
ネットワークを介して情報を送受信するセンタ装置と、複数のユーザ端末とを備える当選券システムにおける方法であって、 
センタ装置が複数の応募者の中から抽選を行い、当選者のユーザ端末に当選券画面に関する情報を含む当選通知を送信する当選ステップと、
当選者が、あるサービスを受けるためにユーザ端末に表示された当選券画面を店に提示し、該サービスに関する所定の情報をユーザ端末からセンタ装置に送信し、センタ装置が該所定の情報を該ユーザ端末に対応させて記憶する受領ステップを有することを特徴とする方法。 
【請求項２】
前記当選ステップにおいて、 
センタ装置は当選者の識別子を当選データベースに記憶する請求項１に記載の方法。 
【請求項３】
前記当選ステップにおいて、 
前記当選券画面に関する情報に基づき、ユーザ端末がセンタ装置にアクセスし、当選券画面をセンタ装置から取得する請求項２に記載の方法。 
【請求項４】
前記ユーザ端末からセンタ装置へのアクセスに際し、センタ装置は前記記憶した識別子と当該アクセスに際して受信した識別子とを照合することにより、当該アクセスが当選者からのアクセスか否かを検証する請求項３に記載の方法。 
【請求項５】
前記受領ステップにおいて、 
前記サービスは商品の提供又は購入商品の割り引きである請求項１に記載の方法。 
【請求項６】
前記所定の情報はレシート番号である請求項５に記載の方法。 
【請求項７】
前記受領ステップにおいて、 
前記サービスに関する所定の情報をユーザ端末に入力した後、センタ装置は該所定の情報を受信した旨の情報を該ユーザ端末に送信する請求項１に記載の方法。 
【請求項８】
ユーザ端末から応募者の所在地に関する情報を入力するステップを更に有し、該所在地に関する情報を基にして、センタ装置が当選通知又は当選券画面に前記サービスを提供する場所に関する情報を付加する請求項１に記載の方法。 
【請求項９】
センタ装置は前記当選通知又は前記当選券画面を所定のプログラムと共に送信し、 
該プログラムにより所定期間経過後に前記当選券画面をユーザ端末から消去する請求項１に記載の方法。 
【請求項１０】
前記プログラムにより、前記受領ステップにおける所定の情報の入力を検出して前記当選券画面をユーザ端末から消去する請求項９に記載の方法。 
【請求項１１】
前記店において、前記サービスに対応したＰＯＳ端末への入力の際に、所定のコードを入力することにより、該ＰＯＳ端末は前記サービスに対応した情報を前記所定の情報に付加する請求項１に記載の方法。 
【請求項１２】
前記店におけるＰＯＳ端末は前記サービスに対応したキーを有し、前記サービスに対応したＰＯＳ端末への入力の際に、当該キーを押し下すことにより、該ＰＯＳ端末は前記サービスに対応した情報を前記所定の情報に付加する請求項１に記載の方法。 
【請求項１３】
ネットワークを介して情報を送受信するセンタ装置と、複数のユーザ端末とを備える当選券システムであって、
センタ装置が複数の応募者の中から抽選を行い、当選者のユーザ端末に当選券画面に関する情報を含む当選通知を送信し、
当選者が、あるサービスを受けるためにユーザ端末に表示された当選券画面を店に提示し、該サービスに関する所定の情報をユーザ端末からセンタ装置に送信し、センタ装置が該所定の情報を該ユーザ端末に対応させて記憶することを特徴とする当選券システム。
【請求項１４】
ネットワークを介して情報を送受信するセンタ装置と、複数のユーザ端末とを備える当選券システムにおけるセンタ装置であって、
複数の応募者の中から抽選を行い、当選者のユーザ端末に当選券画面に関する情報を含む当選通知を送信する抽選手段と、
当選者があるサービスを受けるためにユーザ端末に表示された当選券画面を店に提示した結果得られる所定の情報をユーザ端末から受信し、該所定の情報を該ユーザ端末に対応させて記憶する受領手段と
を有することを特徴とするセンタ装置。
【請求項１５】
前記受領手段は、
前記所定の情報を受信した旨の情報をユーザ端末に送信する手段を有する請求項１４に記載のセンタ装置。
【請求項１６】
ユーザ端末から応募者の所在地に関する情報を受信する手段を更に有し、該所在地に関する情報を基にして、当選通知又は当選券画面に前記サービスを提供する場所に関する情報を付加する請求項１４に記載のセンタ装置。
【請求項１７】
前記当選通知又は前記当選券画面を所定のプログラムと共に送信する手段を更に有し、該プログラムにより所定期間経過後に前記当選券画面をユーザ端末から消去する請求項１４に記載のセンタ装置。
【請求項１８】
前記プログラムにより更に、前記受領手段における所定の情報の入力を検出して前記当選券画面をユーザ端末から消去する請求項１７に記載のセンタ装置。
【請求項１９】
ネットワークを介して情報を送受信するセンタ装置と、複数のユーザ端末とを備える当選券システムにおけるセンタ装置の処理をコンピュータに実行させるプログラムを記録した記録媒体であって、
複数の応募者の中から抽選を行い、当選者のユーザ端末に当選券画面に関する情報を含む当選通知を送信する抽選手順と、
当選者があるサービスを受けるためにユーザ端末に表示された当選券画面を店に提示した結果得られる所定の情報をユーザ端末から受信し、該所定の情報を該ユーザ端末に対応させて記憶する受領手順と
をコンピュータに実行させるプログラムを記録した記録媒体。
【請求項２０】
前記受領手順は、
前記所定の情報を受信した旨の情報をユーザ端末に送信する手順を有する請求項１９に記載のプログラムを記録した記録媒体。
【請求項２１】
ユーザ端末から応募者の所在地に関する情報を受信する手順を更に有し、該所在地に関する情報を基にして、当選通知又は当選券画面に前記サービスを提供する場所に関する情報を付加する手順を有する請求項１９に記載のプログラムを記録した記録媒体。
【請求項２２】
前記当選通知又は前記当選券画面を所定のプログラムと共に送信する手順を更に有し、該プログラムにより所定期間経過後に前記当選券画面をユーザ端末から消去する請求項１９に記載のプログラムを記録した記録媒体。
【請求項２３】
前記プログラムにより更に、前記受領手順における所定の情報の入力を検出して前記当選券画面をユーザ端末から消去する請求項２２に記載のプログラムを記録した記録媒体。
【発明の詳細な説明】
【技術分野】
【０００１】
本発明は、インターネット等のネットワークを利用した当選券システムに関する。
【背景技術】
【０００２】
インターネット対応の携帯端末における多数の会員を対象としたサービスが普及してきており、そのようなサービスでは一般的に１人当りの徴収会費が少なく、会員獲得や会員継続のためのキャンペーン等を行う場合のコストをできるだけ下げることが求められている。
【０００３】
従来技術では、キャンペーンの一環として広告等によって応募者を募り、抽選を行い、当選者に賞品を渡すといったイベントを行うために、例えば次のようなことが行われていた。
【０００４】
まず応募者ははがき等に記入事項を記入し、その用紙を投函する。次に、キャンペーン実施側は送られたてきた応募用紙の抽選を行い、当選者に賞品を送るための準備と賞品の発送手続きを行う。そして、賞品の提供主は賞品の準備と発送を行う。
【０００５】
また、インターネット対応の携帯端末を用いて応募させ、応募者の携帯端末に対してクーポン券の画面を送り、その画面を店頭で提示することによって、割り引き等のサービスを提供することも行われている。
【非特許文献１】図解でわかるケータイマーケティング、日本能率協会マネジメントセンター、２０００年１０月１日、初版、ｐｐ．２１０−２１１
【非特許文献２】日経ビジネス、日経ＢＰ社、２０００年４月２４日、Ｎｏ．１０３８、ｐｐ．２８−３１
【発明の開示】
【発明が解決しようとする課題】
【０００６】
しかしながら、上記従来の技術によると、当選者へ当選賞品を届けるために流通経費等のコストがかかり、上記のキャンペーンに使用することはできない。
【０００７】
また、上記のクーポン券の例のように、インターネット対応の携帯端末を用いて当選券の画面を送り、それを店頭で提示することにより賞品としての商品を受け取るようにすることも考えられるが、その当選券画面をコピーすることによって、当選者が複数回賞品を受け取る、あるいは当選者以外の者が賞品を受け取ることができるという問題点がある。
【０００８】
更に、キャンペーン実施者の業種とは異なる業種と連携しながらキャンペーンを円滑に実行することが求められている。
【０００９】
本発明は上記の点に鑑みてなされたものであり、端末上に表示された当選券画面の不正使用を防止し、更に、異業種と連携してキャンペーンを行うことを可能とする当選券システムを提供することを目的とする。
【課題を解決するための手段】
【００１０】
上記の課題を解決するために、本発明は次のように構成することができる。
【００１１】
請求項１に記載の発明は、ネットワークを介して情報を送受信するセンタ装置と、複数のユーザ端末とを備える当選券システムにおける方法であって、センタ装置が複数の応募者の中から抽選を行い、当選者のユーザ端末に当選券画面に関する情報を含む当選通知を送信する当選ステップと、当選者が、あるサービスを受けるためにユーザ端末に表示された当選券画面を店に提示し、該サービスに関する所定の情報をユーザ端末からセンタ装置に送信し、センタ装置が該所定の情報を該ユーザ端末に対応させて記憶する受領ステップとを有する。
【００１２】
本発明によれば、当選した旨をネットワークを介してユーザ端末に通知し、店で賞品としての商品提供等のサービスを行うことが可能になるので、当選通知にかかるコストや賞品の配送にかかるコストを削減することができる。また、当選券画面を店に提示した結果得られる所定の情報（例えばレシート番号）をセンタ装置が記憶するので、ユーザ端末から再度アクセスがあった場合に、レシート番号があればアクセスを拒否する等により、所定回数以上の商品受領等の不正を防止できる。更に、レシート番号を記憶しておくことにより、店側からの商品代金請求内容をチェックすることが可能となる。
【００１３】
請求項２に記載の発明は、請求項１の記載において、前記当選ステップにおいて、センタ装置は当選者の前記識別子を当選データベースに記憶する。
【００１４】
本発明によれば、当選者がアクセスしてきた場合に、それが当選者のものであるかどうかを識別できる。
【００１５】
請求項３に記載の発明は、請求項２の記載において、前記当選ステップにおいて、前記当選券画面に関する情報に基づき、ユーザ端末がセンタ装置にアクセスし、当選券画面をセンタ装置から取得する。
【００１６】
当選券画面に関する情報は例えば当選券画面のＵＲＬである。
【００１７】
請求項４に記載の発明は、請求項３の記載において、前記ユーザ端末からセンタ装置へのアクセスに際し、センタ装置は前記記憶した識別子と当該アクセスに際して受信した識別子とを照合することにより、当該アクセスが当選者からのアクセスか否かを検証する。
【００１８】
本発明により、当選者以外が不正に当選券画面を入手することを防止できる。
【００１９】
請求項５に記載の発明は、請求項１の記載において、前記受領ステップにおいて、前記サービスは商品の提供又は購入商品の割り引きである。
【００２０】
請求項６に記載の発明は、請求項５の記載において、前記所定の情報はレシート番号であるとする。
【００２１】
レシート番号は毎回異なった番号となるため、商品等の提供を一意に識別することが可能となり、店側とキャンペーン実施者側がレシート番号を保有することにより、照合が可能となる。
【００２２】
請求項７に記載の発明は、請求項１の記載において、前記受領ステップにおいて、前記サービスに関する所定の情報をユーザ端末に入力した後、センタ装置は該所定の情報を受信した旨の情報を該ユーザ端末に送信する。
【００２３】
本発明によれば、店側でその情報を確認することにより、当選者が確かに所定の情報（レシート番号等）を入力したことを確認できる。
【００２４】
請求項８に記載の発明は、請求項１の記載において、ユーザ端末から応募者の所在地に関する情報を入力するステップを更に有し、該所在地に関する情報を基にして、センタ装置が当選通知又は当選券画面に前記サービスを提供する場所に関する情報を付加する。
【００２５】
本発明によれば、当選者が賞品を受け取りやすくなるとともに、店側でも賞品の準備を行いやすくなる。所在地に関する情報は例えば郵便番号である。
【００２６】
請求項９に記載の発明は、請求項１の記載において、センタ装置は前記当選通知又は前記当選券画面を所定のプログラムと共に送信し、該プログラムにより所定期間経過後に前記当選券画面をユーザ端末から消去する。
【００２７】
本発明によれば、賞品の交換期限を設定することが可能である。上記のプログラムは例えばＪａｖａ（登録商標）プログラムである。
【００２８】
請求項１０に記載の発明は、請求項９の記載において、前記プログラムにより、前記受領ステップにおける所定の情報の入力を検出して前記当選券画面をユーザ端末から消去する。
【００２９】
本発明によれば、当選券画面を再度利用して商品等の賞品を受け取るといった不正を防止できる。
【００３０】
請求項１１に記載の発明は、請求項１の記載において、前記店において、前記サービスに対応したＰＯＳ端末への入力の際に、所定のコードを入力することにより、該ＰＯＳ端末は前記サービスに対応した情報を前記所定の情報に付加する。
【００３１】
本発明によれば、所定の情報（レシート番号等）と当選者に配布した商品等のとの対応が付けられ、その対応付けられた情報を例えば店側の本部に送信することができるので、店側はそれを集計することにより、キャンペーン実施側に請求等を行うことが可能となる。また、キャンペーン実施側は当選に係る商品等の所定の情報を記憶しているので、キャンペーン実施側に請求等の検証を行うことが可能となる。
【００３２】
請求項１２に記載の発明は、請求項１の記載において、前記店におけるＰＯＳ端末は前記サービスに対応したキーを有し、前記サービスに対応したＰＯＳ端末への入力の際に、当該キーを押し下すことにより、該ＰＯＳ端末は前記サービスに対応した情報を前記所定の情報に付加する。
【００３３】
本発明によれば、請求項１１の効果に加え、ＰＯＳ端末における操作が容易になるという効果がある。従って、ＰＯＳ端末の操作者への指導を徹底することが可能となる。
【００３４】
請求項１３に記載の発明は、ネットワークを介して情報を送受信するセンタ装置と、複数のユーザ端末とを備える当選券システムであって、センタ装置が複数の応募者の中から抽選を行い、当選者のユーザ端末に当選券画面に関する情報を含む当選通知を送信し、当選者が、あるサービスを受けるためにユーザ端末に表示された当選券画面を店に提示し、該サービスに関する所定の情報をユーザ端末からセンタ装置に送信し、センタ装置が該所定の情報を該ユーザ端末に対応させて記憶する。本発明によれば、請求項１と実質的に同様の作用効果を奏する。
【００３５】
請求項１４に記載の発明は、ネットワークを介して情報を送受信するセンタ装置と、複数のユーザ端末とを備える当選券システムにおけるセンタ装置であって、該応募情報を記憶する応募手段と、複数の応募者の中から抽選を行い、当選者のユーザ端末に当選券画面に関する情報を含む当選通知を送信する抽選手段と、当選者があるサービスを受けるためにユーザ端末に表示された当選券画面を店に提示した結果得られる所定の情報をユーザ端末から受信し、該所定の情報を該ユーザ端末に対応させて記憶する受領手段とを有する。
【００３６】
請求項１５に記載の発明は、請求項１４の記載において、前記受領手段は、前記所定の情報を受信した旨の情報をユーザ端末に送信する手段を有する。
【００３７】
請求項１６に記載の発明は、請求項１４の記載において、ユーザ端末から応募者の所在地に関する情報を受信する手段を更に有し、該所在地に関する情報を基にして、当選通知又は当選券画面に前記サービスを提供する場所に関する情報を付加する。
【００３８】
請求項１７に記載の発明は、請求項１４の記載において、前記当選通知又は前記当選券画面を所定のプログラムと共に送信する手段を更に有し、該プログラムにより所定期間経過後に前記当選券画面をユーザ端末から消去する。
【００３９】
請求項１８に記載の発明は、請求項１４の記載において、前記プログラムにより更に、前記受領手段における所定の情報の入力を検出して前記当選券画面をユーザ端末から消去する。
【００４０】
請求項１９〜２３に記載の発明は、ネットワークを介して情報を送受信するセンタ装置と、複数のユーザ端末とを備える当選券システムにおけるセンタ装置の処理をコンピュータに実行させるプログラムを記録した記録媒体であり、上記のセンタ装置の発明と実質的に同様の作用効果を奏する。
【発明の効果】
【００４１】
上記のように、本発明によれば、当選した旨をネットワークを介してユーザ端末に通知し、店で賞品としての商品提供等のサービスを行うことが可能になるので、当選通知にかかるコストや賞品の配送にかかるコストを削減することができる。また、当選券画面を店に提示した結果得られる所定の情報（例えばレシート番号）をセンタ装置が記憶するので、ユーザ端末から再度アクセスがあった場合に、レシート番号があればアクセスを拒否する等により、所定回数以上の商品受領等の不正を防止できる。
【発明を実施するための最良の形態】
【００４２】
以下、図面を参照して、本発明の実施の形態に係る当選券システムについて詳細に説明する。
【００４３】
［システム構成］
図１は、本発明の一実施例における当選券システムの構成を示す図である。
【００４４】
同図に示すように、この当選券システムは、ネットワーク１０を介して相互に接続されるユーザ端末１１１〜１１ｎと、センタ装置１２を有する。
【００４５】
ネットワーク１０は、ＬＡＮ（Local Area network）、電話回線、移動体通信網等から構成され、ユーザ端末１１１〜１１ｎとセンタ装置１２との間で情報の送受信を可能とするためのものである。
【００４６】
ユーザ端末１１１〜１１ｎは、ＷＥＢページを閲覧可能な移動電話機等の携帯端末装置等から構成され、ネットワーク１０を介してセンタ装置１２との間で通信を行なう。
【００４７】
センタ装置１２は、ＷＥＢサーバ１３、メールサーバ１４、データベースサーバ１５を有する。なお、ＷＥＢサーバ１３、メールサーバ１４及びデータベースサーバ１５はそれぞれが少なくとも１台のコンピュータとして構成することができるが、複数のサーバ機能を１台のコンピュータ上で実現することもできる。センタ装置１２におけるＷＥＢサーバ１３は、ユーザ端末１１１〜１１ｎ  に表示する画面データの作成・送信や、抽選等を行い、メールサーバ１４は、当選した旨を通知するメールを送信する。また、データベースサーバ１５は後述する会員データベース（会員ＤＢ）、応募データベース（応募ＤＢ）、会員データベース（会員ＤＢ）等を有する。
【００４８】
また、ネットワーク１０は、ユーザ端末からセンタ装置にアクセスがあった場合に、そのユーザ端末の番号（例えば携帯電話機の電話番号）に一意に対応したＵＩＤ（ユーザ識別番号）をセンタ装置に通知する機能を有している。
【００４９】
この機能は、例えば、ネットワーク１０内にある携帯電話事業者のゲートウェイサーバ（図示せず）によってＵＩＤを付与し、それをセンタ装置に通知することで実現できる。また、例えば、所定の会員ユーザが使用する個々の端末に付与された固有のＩＤ番号を、ユーザ端末の番号（電話番号等）に対応付ける機能を有するユーザ特定サーバ（図示せず）を利用することで実現することも可能である。これにより、センタ装置はどのユーザ端末からのアクセスかを識別することができる。なお、ユーザ端末の番号がユーザ識別可能なようにユニークに付与されている場合には、ユーザ端末の番号をＵＩＤとしてユーザ識別に利用することも可能である。
【００５０】
ＷＥＢサーバ１３、メールサーバ１４、データベースサーバ１５はそれぞれ同様の構成をとることができ、図２にその構成の一例を示す。各サーバは、ＣＰＵ（中央処理装置）２１、メモリ２２、入力装置２３、表示装置２４、ＣＤ−ＲＯＭドライブ２５、ハードディスク２６、通信処理装置２７を有する。ＣＰＵ２１は装置の全体を制御する。メモリ２２はＣＰＵ２１で処理するデータやプログラムを保持する。入力装置２３はキーボードやマウス等、データを入力するための装置である。表示装置２４はディスプレイ等の装置である。ＣＤ−ＲＯＭドライブ２５はＣＤ−ＲＯＭ等を駆動し、読み書きを行う。ハードディスク２６には、プログラムや、本発明の処理に関わるデータが格納される。通信処理装置２７により他のコンピュータ等とネットワークを介して通信を行なうことが可能となる。本発明の処理を実行するプログラムは、コンピュータに予めインストールされていてもよいし、例えばＣＤ−ＲＯＭに格納され、ＣＤ−ＲＯＭドライブ２５を介してハードディスク２６にロードするようにしてもよい。プログラムが起動されると、所定のプログラム部分がメモリ２２に展開され、処理が実行される。
【００５１】
［応募から商品引き換えまでの処理］
本発明の当選券システムでは、キャンペーン等において、ユーザがユーザ端末から当選賞品としての商品等の応募を行い、センタ装置が応募者の中から当選者を抽選し、当選者にメールを送信する。当選者はメールに記載してある情報に基きユーザ端末上に当選券画面を取得し、それを店に提示することにより賞品を受け取る。本実施例における店は、キャンペーン等の実施者の店でもよいし、異業種におけるチェーン店等でもよい。なお、賞品として、商品の引き換えの代わりに、割り引き等のサービスを提供することもできる。
【００５２】
以下、図３のシーケンスチャートを用いて当選券システムにおける処理を詳細に説明する。
【００５３】
（応募）
ユーザ端末がセンタ装置１２の所定のサイトにアクセスすると（ステップ１）、センタ装置１２は応募画面データをユーザ端末に送信する（ステップ２）。ユーザ端末には応募画面が表示され、ユーザはその表示に従って入力を行い、入力データを送信する（ステップ３）。センタ装置１２は入力データを受信すると、データベースサーバ１５上の応募ＤＢに応募内容を書き込むことにより応募受け付けを行う（ステップ４）。なお、あるサービスの会員を既に登録してある場合には、その会員であるかどうかを検証し、会員のみを抽選対象として応募ＤＢに登録してもよい。
【００５４】
上記のステップ３におけるユーザの入力項目にはメールアドレスを含む。また、メールアドレスに加え郵便番号や住所を入力することとしてもよい。これにより、例えば当選者へ提供する商品数を地域ごとに把握することが可能となる。また、後述する当選通知の際に、どこの店に賞品を受け取りに行けば良いかを表示することができる。応募ＤＢには上記の入力項目の他、前述したＵＩＤとユーザ端末の機種名が記録される。図４に応募ＤＢにおけるテーブル構成の一例を示す。
【００５５】
（抽選）
次に、センタ装置は応募ＤＢを基にして応募者の中から当選者を抽選し、当選者を当選ＤＢに書き込む（図３のステップ５）。そして、応募時に入力されたメールアドレスを用いて当選者にメールで当選通知を行う（ステップ６）。上記の抽選は所定の時期に行っても良いし、応募者が一定数以上になった場合に行っても良い。また、抽選は応募ＤＢに登録された応募者の中から一定数を選択するようにして行う。
【００５６】
ユーザ端末に送信される当選通知画面の一例を図５に示す。画面内のＵＲＬにアクセスすることによって当選券画面を表示することができる。前述したように、ユーザの居住地域を郵便番号等から判断することにより、賞品を取りに行くべき店名等をここに表示することも可能である。なお、郵便番号等を応募の時に入力させるのではなく、当選通知を受けたユーザにのみ入力させるようにし、当選通知とは別に賞品を取りに行くべき店名等を通知してもよい。
【００５７】
図６には当選ＤＢにおけるテーブル構成の一例を示す。同図に示すように、当選者ＵＩＤ、配信回数、レシート番号、賞品交換済フラグを有する。当選者ＵＩＤは抽選されたユーザのＵＩＤであり、配信回数は当選券画面を配信した回数を示す。レシート番号、賞品交換済フラグについては後述する。
【００５８】
（当選券画面送信、受信）
図３のステップ６に続いて、当選した旨のメールを受信したユーザは、当該メールに記載されたＵＲＬにアクセスする（ステップ７）。センタ装置１２は当選ＤＢを参照し、そのアクセスにより通知されたＵＩＤが確かに当選者のものであり、配信回数が所定の回数以下であること（１回のみ当選券を送る場合には０回であること）を検証すると（ステップ８）、当選券画面データをユーザ端末に送信し（ステップ９）、ユーザ端末には当選券の画面が表示される（ステップ１０）。また、当選ＤＢの配信回数が増加される。
【００５９】
当選券の画像の例を図７に示す。ユーザ端末ではこの画面をメモリに記憶していることができるので、上記の処理は店に行く前に行っておくことができる。
【００６０】
（賞品引き換え）
図３のステップ１０の後、ユーザはこの当選券の画面を当選賞品を扱う店に提示する。店ではＰＯＳ端末への入力を行いその賞品としての商品に応じたレシートを発行する。
【００６１】
次に、ユーザはそのレシート番号をユーザ端末に入力し（ステップ１１）、センタ装置では、当選者が賞品を受け取った旨を認識するための当選者削除処理を行う（ステップ１２）。
【００６２】
当選者削除処理では、レシート番号を当選ＤＢに記録し、賞品交換済フラグを立てる（１にする）。また、当該ユーザ用の当選券画像データがある場合にはそれを消去する。センタ装置側で賞品交換済フラグの状態を確認することにより、当該ユーザが賞品受領後にアクセスしてきた場合にアクセスを拒否する等（例えば当選券画面を送信しない、後述する完了画面を送信しない等）の検証が可能となる。また、レシート番号が記録されていることを確認することによっても上記の検証は可能である。なお、複数回賞品受け渡しを可能とした場合には、賞品交換済フラグの項目を賞品交換回数とすることにより、その回数が所定回に達していたらアクセスを拒否する等の対応をとることができる。
【００６３】
図３のステップ１２の後、センタ装置は、レシート番号を受信し削除処理が完了したことを示す完了画面データをユーザ端末に送信する（ステップ１３）。ユーザはその画面を店に提示し（ステップ１４）、店ではその画面を確認することにより、ユーザが確かにレシート番号を入力したことを確認し、賞品をユーザに渡す。完了画面の一例を図８に示す。これにより、レシート番号を入力せずに賞品を受け取り、再度、当選券画面を店に提示して賞品を受け取るという不正を防止することができる。以上で、ユーザ端末及びセンタ装置による一連の処理が終了する。
【００６４】
なお、当選ＤＢにおける配信回数又は賞品交換済フラグを参照することにより、当選したにもかかわらず賞品を受け取っていない応募者を把握することができ、そのような応募者に対し一定期間後にその旨を知らせるメールを送るようにしてもよい。
【００６５】
また、レシート番号を入力せずに賞品引き換えを行うことも可能である。すなわち、賞品引き換えの際、ユーザは上記のステップ６で送信されたメールに記載されたＵＲＬにアクセスする。続いて、センタ装置はステップ８で説明した検証を行い、更に、ステップ１２の当選者削除処理を行う。その後、センタ装置は引き換えＯＫであることを示す画面をユーザ端末に送信する。店ではその画面を確認することにより、ユーザが確かに当選者であることを確認し、賞品をユーザに渡す。
【００６６】
なお、ステップ１０の当選画面に確認ボタンを設け、レシート番号を入力する代わりにその確認ボタンをクリックすることにより、センタ装置で当選者削除処理を行い、ステップ１４の完了画面を表示するようにしてもよい。
【００６７】
上記の一連の処理において、センタ装置からユーザ端末への画像等のデータ送信の際にＪａｖａ（登録商標）等のプログラムを送信することにより、例えば、当選券に交換期限を設けることが可能となる。すなわち、画面送信後一定期間が経過したらその画面データをユーザ端末上から消去する。また、交換期限が迫ってきた場合に、ユーザ端末にその旨のメッセージを表示することも可能である。
【００６８】
また、Ｊａｖａ（登録商標）等のプログラムを使用することにより、レシート番号を入力して送信すると同時に当選券画面をユーザ端末から消去することも可能である。これによれば、図３におけるステップ１３、１４の処理を行う必要がなくなる。
【００６９】
［キャンペーン実施側と異業種の店側との決済について］
次に、キャンペーン実施側と異業種の店側との決済について説明する。当選賞品である商品を提供する店側がキャンペーン実施側とは別企業である場合、一般的にキャンペーン実施側は店側にその商品の代金を支払う必要がある。従って、店側からの商品代金請求が、実際に配布した商品の代金に見合うものかどうかを検証する必要が生じる。
【００７０】
店側がコンビニエンスストアやファーストフード店のように多くのチェーン店から成る場合、図９に示すように、店頭のＰＯＳ端末から入力された売上データはチェーン店の本部に通知される。その通知は一般に、レシート番号、商品コード、単価、数量、日時等が関連付けられたデータである。従って、売上商品がキャンペーン当選者に配布されたものである場合には、それを判別するための情報をデータに付加し、本部に送るようにする。
【００７１】
本部ではその情報が付加されたデータを集計することによりキャンペーン実施側に請求を行うことができ、キャンペーン実施側では、当選ＤＢに記録されたレシート番号を集計し、請求に係るデータと比較することにより検証を行うことが可能となる。なお、上記の集計を行うことにより、当選者のうち実際に賞品を受け取った人の割合を把握することができる。これにより、市場におけるユーザの反響を精度良くタイムリーに把握することが可能となる。すなわち、従来はキャンペーンの反響を精度良く把握することができなかったところ、本発明によれば、精度良くタイムリーに把握することができるので、キャンペーンの効率を評価することが可能となる。
【００７２】
上記の検証は、図９に示すように、チェーン店本部を図１の当選券システムにおけるネットワーク１０に接続し、本部における賞品としての商品の集計結果をネットワーク１０を介してセンタ装置に送信することにより、センタ装置で行うことが可能である。また、センタ装置以外に装置を設け、そこで上記の検証を行うようにしてもよい。なお、本部からオフラインでデータを取得して検証を行ってもよい。検証後、例えばチェーン店本部の銀行口座に商品代金の振り込みを行う。例えば１万人に当選通知が送られたとして、７０００人が賞品を受け取った場合には、７０００人分の賞品の商品代金が振り込まれる。
【００７３】
ＰＯＳ端末側で商品が当選賞品であることを判別するための情報を付加するためには、例えば、当該商品に係る打ち込みの際に、特定のコード（数字列）を打ち込み、その数字又は当選フラグを送信データ（レシート番号又は商品コード等に）に付加する方法や、ＰＯＳ端末に専用のキーを設け、そのキーを押した場合に自動的に情報（図９に示す当選フラグ等）を付加する方法等がある。なお、チェーン店における店員の負担等を考慮すると、ＰＯＳ端末に専用のキーを設ける方法が望ましい。
【００７４】
また、当選者が、当選賞品引き換えとともに当該店において他の商品を購入する場合にも、上記の何れかの方法を用いることができる。すなわち、購入する商品については通常どおりにＰＯＳ端末を操作し、当選賞品についてはコードを入力するか、専用のキーを押すようにする。この場合、賞品引き換えの際、ユーザ端末からはレシート番号の他に当選賞品を識別するための情報を入力する。
【００７５】
また、当選者に商品の提供をする代わりに購入商品の割り引きを行う場合には、例えば、上記のコードを打ち込むか又は専用キーを押すことにより、ユーザに請求される購入商品の合計金額から割り引き額を差し引くようにする。
【００７６】
上記のように、本システムによれば、当選した旨をネットワークを介して通知し、店で当選賞品を渡すこととしたので、当選通知にかかるコストや賞品の配送にかかるコストを削減することができる。
【００７７】
また、ユーザ端末番号と一意に対応するＵＩＤにより当選者を識別するので、当選者以外の端末から当選券を取得する等の不正を防止できる。また、レシート番号をユーザ端末から入力することにより、賞品を引き渡したかどうかを判別することができるので、所定回数以上賞品を受け取る等の不正を防止できる。
【００７８】
また、ＰＯＳ端末に専用キーを設けることにより、賞品引き換えに係る操作を簡易化できるので、チェーン店等への当選券システムの導入を円滑に行うことが可能となる。
【００７９】
また、キャンペーン実施側は当該キャンペーンにより会員継続、会員増加の効果が得られるとともに、キャンペーンに参加したキャンペーン協賛企業側にとっては当選者の来店に伴う売上の増加を期待できる。すなわち、キャンペーン実施側とキャンペーン協賛企業両者にメリットがあるため、異業種との連携を円滑に行うことができるようになる。
【００８０】
更に、応募人数を把握できるとともに、当選者のうち実際に賞品を受け取った人の割合も求めることができるので、市場におけるユーザの反響を精度良くタイムリーに把握することが可能となる。従って、キャンペーンの効率を精度良く評価することが可能となる。
【００８１】
本発明は、上記の実施例に限定されることなく、特許請求の範囲内で種々変更・応用が可能である。
【図面の簡単な説明】
【００８２】
【図１】本発明の実施例における当選券システムの構成図である
【図２】センタ装置におけるサーバの構成図である。
【図３】当選券システムにおける処理を示すシーケンスチャートである。
【図４】応募ＤＢにおけるテーブル構成の一例を示す図である。
【図５】ユーザ端末に送信される当選通知画面の一例を示す図である。
【図６】当選ＤＢにおけるテーブル構成の一例を示す図である。
【図７】当選券の画像の一例を示す図である。
【図８】完了画面の一例を示す図である。
【図９】ＰＯＳ端末から送信されるデータ例を示す図である。
【符号の説明】
【００８３】
１０  ネットワーク
１１１〜１１ｎ  ユーザ端末
１２  センタ装置
１３  ＷＥＢサーバ
１４  メールサーバ
１５  データベースサーバ
２１  ＣＰＵ（中央処理装置）
２２  メモリ
２３  入力装置
２４  表示装置
２５  ＣＤ−ＲＯＭドライブ
２６  ハードディスク
２７  通信処理装置
【図１】
2005222562.tif 000003
【図２】
2005222562.tif 000004
【図３】
2005222562.tif 000005
【図４】
2005222562.tif 000006
【図５】
2005222562.tif 000007
【図６】
2005222562.tif 000008
【図７】
2005222562.tif 000009
【図８】
2005222562.tif 000010
【図９】
2005222562.tif 000011